(57)【要約】【課題】ＣＤ、ＤＶＤ等を記録、再生するディスク装置のスピンドルモータの回転軸と光ピックアップの案内手段によって形成される仮想平面との相対角度、高さ調整を、簡単な構成の調整機構を用い、少ない工数で行う。【解決手段】光ピックアップ１６により読み出されたＲＦ信号の品質を示すジッター値をモニタしながら、Ｔａ（＋）方向にディスクの回転面を倒すために、調整ビス２４をトラバースシャーシ１５の調整ビス穴にネジ込む。ジッター値が良好とならず、増加傾向を示すようであれば、Ｔａ（−）方向にディスクの回転面を倒すために、調整ビス２４を抜き取る方向に回す。次に、Ｒａ（＋）方向にディスクの回転面を倒すために、調整ビス２３を抜き取る方向に回す。ジッター値が良好とならず、増加傾向を示すようであれば、逆にＲａ（−）方向にディスク１の回転面を倒すために、調整ビス２３をネジ込む方向に回す。【選択図】　　　　図１
2004087031.tif 000002
【特許請求の範囲】
【請求項１】
ディスクを保持するターンテーブルと、該ターンテーブルを回転するスピンドルモータと、前記ディスクに記録された信号を読み出したり信号を書き込んだりする光ピックアップと、該光ピックアップを前記ディスクの半径方向に移動する案内手段と、前記光ピックアップを駆動する駆動手段を有するディスク装置の調整機構において、
前記スピンドルモータを取り付けるとともにボス案内穴及びピン案内溝を有するモータ取り付け板と、該モータ取り付け板の位置決め調整ボス及び案内ピンを有するトラバースシャーシと、前記モータ取り付け板と前記トラバースシャーシの位置関係を調整する調整ビスと、前記モータ取り付け板を押圧する圧縮スプリングからなり、前記モータ取り付け板が前記位置決め調整ボス及び案内ピンで案内された状態で、前記調整ビスにより前記スピンドルモータの回転軸と前記案内手段が形成する仮想平面との相対角度調整と、前記スピンドルモータのターンテーブル面の高さ調整を行なうことを特徴とするディスク装置の調整機構。
【請求項２】
請求項１に記載されたディスク装置の調整機構において、
前記モータ取り付け板のボス案内穴の高さ調整案内部を、ハーフパンチ加工で形成したことを特徴とするディスク装置の調整機構。
【請求項３】
請求項１に記載されたディスク装置の調整機構において、
前記モータ取り付け板のボス案内穴の高さ調整案内部を、深絞り加工で形成したことを特徴とするディスク装置の調整機構。
【請求項４】
請求項１に記載されたディスク装置の調整機構において、
前記位置決め調整ボス先端にネジ部を設け、該ネジ部と係合する調整リングにより調整を行なうことを特徴とするディスク装置の調整機構。
【請求項５】
請求項１に記載されたディスク装置の調整機構において、
前記調整ビスの頭部外周に環状の凸部を設け、前記調整ビスの前記位置決め調整ボスに対するねじ込み量を調整することにより、前記凸部が前記モータ取り付け板の高さを調整することを特徴とするディスク装置の調整機構。
【発明の詳細な説明】
【０００１】
【発明の属する技術分野】
本発明は、ディスク装置の調整機構に関し、さらに詳しくは、ＤＶＤ、ＣＤ等のディスクを記録再生媒体とするディスク装置において、ディスクを回転するスピンドルモータの回転軸と光ピックアップを案内する案内手段が形成する仮想平面との位置関係を調整する調整機構に関する。
【０００２】
【従来の技術】
昨今のＤＶＤ、ＣＤ等のディスク型記録再生装置においては、通常の回転数より高速でデータを読み取ったり、データを書き込んだりすることが多くなってきている。特にＤＶＤの場合は、ＣＤ比６倍以上の記録容量を有するため、データの読み込み及び書き込みは、従来以上に厳しい条件下で行われることになる。
【０００３】
ディスクに記録されたデータの読み込み、ディスクへのデータの書き込みは、後述の光ピックアップを用いて行なうが、一般的に光ピックアップから出射されるレーザ光の光軸と、レーザ光が照射されるディスク情報面との相対角度を調整することで、読み込まれる信号と、書き込まれる信号の品質が向上する。ディスクを保持するターンテーブルを回転させるスピンドルモータ回転軸と、光ピックアップのディスク半径方向への移動を案内する１組の案内部が作る仮想平面との相対角度が、理想的に９０°の関係にあるとしても、これに取り付けられる個々の光ピックアップから出射されるレーザ光の角度は、それぞれ異なり、そのばらつきも大きい。
そこで、スピンドルモータの取付け面を、光ピックアップ案内部に対して傾けることで、個々の光ピックアップに対して調整することが行われている。
【０００４】
図８は、従来例の光ディスク装置の要部を示す図で、特開２００２−９３０２９号公報に開示された発明の概念に基いた例であり、図８（Ａ）は平面図、図８（Ｂ）は正面図、図８（Ｃ）は左側面図である。
図８において、ディスク１１０は、図示しないディスク誘導機構により、スピンドルモータ１１１に取り付け固定されたターンテーブル１１２の上面に載せられた後、図示しないマグネット等により発生する吸引力により、ディスククランパ１１３とターンテーブル１１２の間に挟まれた状態で、スピンドルモータ１１１と一体となって回転する。
【０００５】
スピンドルモータ１１１は、モータ取り付け板１１４に対して強固に取り付けられており、後述する調整機構を介してトラバースシャーシ１１５に固定されている。
光ピックアップ１１６のディスク半径方向移動の案内を行なう２本のガイド軸１１７は、４個の固定部材１１８を介してトラバースシャーシ１１５に取り付け固定されている。
光ピックアップ１６０は、ガイド軸１１７に沿って、光ピックアップ送り手段１１９により駆動され、ディスク半径方向に自在に移動する。
【０００６】
調整機構の構成について説明する。
図９は、図８に示すディスク装置の調整機構の詳細を分解して示す図で、図９（Ａ）は平面図、図９（Ｂ）は正面図、図９（Ｃ）は左側面図である。
調整機構は、３本の調整用ボス１２１，１２２，１２３、３個の調整リング１２１−１，１２２−１，１２３−１、１本の固定用段付ビス１２１−２、２本の固定用ビス１２２−２，１２３−２、１本の位置決め用ガイドピン１２４、モータ取り付け板１１４からなり、調整用ボス１２１，１２２，１２３、位置決め用ガイドピン１２４は、それぞれトラバースシャーシ１１５の基準軸Ｘ−Ｘ’、Ｙ−Ｙ’上の所定位置に固定されている。
モータ取り付け板１１４には、位置決め用穴１１４ａ、２個の固定ビス貫通穴１１４ｂ，１１４ｃ、位置決め用長穴１１４ｄが設けられている。
【０００７】
図１０、１１は、図９に示す調整機構における１つの調整用ボス１２１とモータ取り付け板、トラバースシャーシ間の関係を示す断面図である。
位置決め調整用ボス１２１は、トラバースシャーシ１１５に対する垂直度を確保するために設けられたフランジ部１２１ａ、内外径にネジが切られたスリーブ部１２１ｂからなる。
スリーブ部１２１ｂの外周ネジ部に対して、内径にネジ部が設けられた調整用リング１２１−１が取り付けられており、調整用リング１２１−１の回転押込み量に応じて、モータ取り付け板１１４の高さが可変となっている。３本の調整用ボス１２１，１２２，１２３に嵌め込まれた調整用リング１２１−１，１２２−１，１２３−１が、それぞれ独立してネジ込み量を設定できることから、モータ取り付け板１１４のトラバースシャーシ１１５に対する絶対高さと、傾斜方向が、任意に調整できることになる。上記調整が終了した時点で、段付ビス１２１−２、固定用ビス１２２−２，１２３−２を締め込むことで、モータ取り付け板１１４は強固に固定される。
【０００８】
図８，９，１０，１１を用いて、モータ取り付け板１１４を２本のガイド軸１１７，１１７によって形成される仮想平面に対して位置調整する作業について説明する。
モータ取り付け板１１４を、図９（Ａ）に示す基準軸Ｘ−Ｘ’周りに回転させ、スピンドルモータ１１１の回転軸と、光ピックアップガイド軸１１７が形成する仮想平面との相対角度を変える場合、調整リング１２１−１を調整用ボス１２１にネジ込んでいく（図１０の矢印Ａ方向）ことで、モータ取り付け板１１４が図８のＴａ（−）方向に傾斜し、これに伴いスピンドルモータ１１１の回転軸が、Ｔａ（−）方向に倒れる。一方、調整リング１２１−１を調整ボス１２１から外す方向に回転させることにより、上記とは逆に、モータ取り付け板１１４が図８のＴａ（＋）方向に傾斜し、これに伴いスピンドルモータ１１１の回転軸がＴａ（＋）方向に倒れる。
【０００９】
モータ取り付け板１１４を、図９（Ａ）における基準軸Ｙ−Ｙ’周りに回転させ、スピンドルモータ１１１の回転軸と、２本の光ピックアップガイド軸１１７，１１７が形成する仮想平面との相対角度を変える場合、図１１に示すように調整リング１２２−１を、調整用ボス１２２（図１１の矢印Ｂ方向）にネジ込んでいくことで、モータ取り付け板１１４が図８のＲａ（−）方向に傾斜し、これに伴い、スピンドルモータ１１１の回転軸が、Ｒａ（−）方向に倒れる。一方、調整リング１２２を調整ボス１２２から外す方向に回転させることにより、上記とは逆に、モータ取り付け板１１４が、図のＲａ（＋）方向に回転し、これに伴い、スピンドルモータ１１１の回転軸がＲａ（＋）方向に倒れる。
【００１０】
モータ取り付け板１１４のトラバースシャーシ１１５に対する絶対高さを調整する場合は、３個の調整リング１２１−１，１２２−１，１２３−１を、それぞれが組み合わさる調整用ボス１２１，１２２，１２３に対して等量ネジ込むことで、スピンドルモータ１１１のターンテーブル１１２が下降し、逆に３個の調整リング１２１−１，１２２−１，１２３−１を、それぞれが組み合わさる調整用ボス１２１，１２２，１２３から等量取り外す方向に回すことで、スピンドルモータ１１１のターンテーブル１１２が上昇する。
【００１１】
以上の調整を完了した後に、固定用段付ビス１２１−２と固定用ビス１２２−２，１２３−２を、調整ボス１２１，１２２，１２３に対して締め込むことで、スピンドルモータ１１１の回転軸と、２本の光ピックアップガイド軸１１７が形成する仮想平面との相対角度調整は完了する。
【００１２】
実際は、読み取りデータ、もしくは書き込みデータの品質が最良となるように調整する必要があり、調整の良し悪しは読み出されたデータ（ＲＦ信号）品質、すなわちジッター値が最良となるように、調整される（基準となるディスク等からの読み込みデータ品質が最良となるように調整することで、書き込み品質も最良となる）。ここで、ジッター値とは、読み出されたＲＦ信号の時間軸方向の揺らぎを表した数値である。
【００１３】
ジッター値が最良となるように、上記の調整を行なうには、ディスク１１０を回転させ、光ピックアップ１１６でデータを読み出しながら、信号品位、すなわちジッター値が最良になるように、調整リング１２１−１，１２２−１を回転させる必要がある。Ｔａ方向及びＲａ方向にスピンドルモータ１１１の回転軸を倒すことで、ジッター値は変化するが、相対角度を横軸に、ジッター値を縦軸にとると、略２次曲線を示し、最良なジッター値を示す相対角度が存在する。Ｔａ方向とＲａ方向でそれぞれ最良となるポイントがあり、これを見つける作業となる。
【００１４】
ところが、上記のような調整機構による相対角度調整を行なうと、例えば、Ｒａ方向にモータ取り付け板を±４０′（４０／６０°）傾けることで、外径寸法がφ１２０ｍｍのＤＶＤ、ＣＤディスクの最外周にて、基準からの高さずれ量は、約±０．７ｍｍにも及び、光ピックアップの対物レンズ可動範囲限界に近い状態となり、読み込まれるデータ品位が悪化することがある。そこで、調整終了後、モータ取り付け板１１４の高さ調整を行なうことになる。
【００１５】
高さ調整については、スピンドルモータ１１１を回転させながら、ディスク中周位置（半径４０ｍｍ付近）で、絶対高さが設計センタとなるように、調整リング１２１−１，１２２−１，１２３−１を等量回転させることにより、相対角度調整により生じた最外周での高さ変化を、最内周と最外周に振り分けることで、約１／２に抑えることが可能となる。
【００１６】
【特許文献１】
特開２００２−９３０２９号公報
【００１７】
【発明が解決しようとする課題】
上記、従来例による相対角度及び高さ調整においては、ディスク１１０を回転させながら行なう場合、最終的に固定用ビス１２１−２，１２２−２，１２３−２で上側からモータ取り付け板を固定する構造なので、調整時には３本の固定用ビス１２１−２，１２２−２，１２３−２を締め込まず、若干緩めておくことで、調整量を確保することが必要になるため、締め込む作業を行なうときに、ディスク１１０を取除く必要がある。さらに、固定用ビス１２１−２，１２２−２，１２３−２を締め込んだ後、調整の確認をする必要があり、作業工数が多いという問題があった。
【００１８】
構造を上下逆にして、トラバースシャーシ１１５側から固定ビスで、調整用ボスが取り付けられたモータ取り付け板を固定する方法も考えられるが、この場合、モータ取り付け板を、治具等により、調整リングに対して押圧しておき、調整後に固定ビスを締め込むことになる。ディスクの着脱作業が不要となるが、３個の調整リングを所定量回し、調整終了後、３本の固定ビスを締め込むという作業工数は変わらず、しかも締込み後の確認作業は残る。
【００１９】
本発明は、以上のような状況に鑑みなされたもので、ディスク装置のスピンドルモータの回転軸と光ピックアップの案内手段によって形成される仮想平面との相対角度及び高さ調整を行う調整機構を部品点数の少ない簡単な構成とし、コストダウンを図るとともに、調整する際の工数を大幅に削減できる調整機構を提供することを目的とする。
【００２０】
【課題を解決するための手段】
本発明の第１の技術手段は、ディスクを保持するターンテーブルと、該ターンテーブルを回転するスピンドルモータと、前記ディスクに記録された信号を読み出したり信号を書き込んだりする光ピックアップと、該光ピックアップを前記ディスクの半径方向に移動する案内手段と、前記光ピックアップを駆動する駆動手段を有するディスク装置の調整機構において、前記スピンドルモータを取り付けるとともにボス案内穴及び案内ピン溝を有するモータ取り付け板と、該モータ取り付け板の位置決め調整ボス及び案内ピンを有するトラバースシャーシと、前記モータ取り付け板と前記トラバースシャーシの位置関係を調整する調整ビスと、前記モータ取り付け板を押圧する圧縮スプリングからなり、前記モータ取り付け板が前記位置決め調整ボス及び案内ピンで案内された状態で、前記調整ビスにより前記スピンドルモータの回転軸と前記案内手段が形成する仮想平面との相対角度調整と、前記スピンドルモータのターンテーブル面の高さ調整を行なうことを特徴とし、これにより、ディスクを回転させながら相対角度と高さの調整を行うことができ、かつ固定用ビスが不要で、調整ビス３本を調整するだけで良く、さらに調整終了後の確認作業を必要としないディスクの調整機構を提供することができる。
【００２１】
第２の技術手段は、第１の技術手段のディスク装置の調整機構において、前記モータ取り付け板のボス案内穴の高さ調整案内部を、ハーフパンチ加工で形成したことを特徴とし、これにより、前記モータ取り付け板の位置決め用穴の高さ調整案内部を簡単な構成とし、高効率に成形することができる。
【００２２】
第３の技術手段は、第１の技術手段のディスク装置の調整機構において、前記モータ取り付け板のボス案内穴の高さ調整案内部を、深絞り加工で形成したことを特徴とし、これにより、前記モータ取り付け板の位置決め用穴の高さ調整案内部を簡単な構成で十分な長さとし、高効率に成形することができる。
【００２３】
第４の技術手段は、第１の技術手段のディスク装置の調整機構において、前記位置決め調整ボス先端にネジ部を設け、該ネジ部と係合する調整リングにより調整を行なうことを特徴とし、これにより、位置決め調整ボス及び調整リングの構成を一層簡単とすることができる。
【００２４】
第５の技術手段は、第２の技術手段のディスク装置の調整機構において、前記調整ビスの頭部外周に環状の凸部を設け、前記調整ビスの前記位置決め調整ボスに対するねじ込み量を調整することにより、前記凸部が前記モータ取り付け板の高さを調整することを特徴とし、これにより、凸部の高さを大きくすることで、調整量を増やすことができる。
【００２５】
【発明の実施の形態】
以下、本発明の実施の形態を図１〜図７に示す実施例に基づいて説明する。
（第１実施例）
図１は、本発明の第１実施例によるディスク装置の主要部を示す図で、図１（Ａ）は平面図、図１（Ｂ）は正面図、図１（Ｃ）は左側面図である。
ディスク装置において、ＤＶＤ、ＣＤ等のディスク１０は、図示しないディスク誘導機構により、スピンドルモータ１１のターンテーブル１２に搭載された後、図示しないマグネット等により発生する吸引力により、ディスククランパ１３とターンテーブル１２の間に挟まれた状態で、スピンドルモータ１１と一体となって回転する。
スピンドルモータ１１は、モータ取り付け板１４に対して強固に取り付けられており、後述する調整機構を介してトラバースシャーシ１５に固定されている。
光ピックアップ１６のディスク半径方向移動の案内を行なう２本のガイド軸１７は、４本の固定ビス１８によりトラバースシャーシ１５に取り付け固定されている。
光ピックアップ１６は、ガイド軸１７に沿って、光ピックアップ送り手段１９により駆動され、ディスク半径方向に自在に移動する。
【００２６】
図２は、図１に示すディスク装置の調整機構の詳細を分解して示す図で、図２（Ａ）は平面図、図２（Ｂ）は正面図、図２（Ｃ）は左側面図である。
本発明のディスク装置の調整機構は、位置決め調整ボス２０、案内ピン２１、ボス固定ビス２２、２本の調整ビス２３，２４、３個の圧縮スプリング２５、モータ取り付け板１４からなる。
トラバースシャーシ１５の調整ボス取り付け穴１５ａ、調整ビス穴１５ｃ及び案内ピン取り付け穴１５ｄは、スピンドルモータ１１の回転軸を含み、光ピックアップ１６のガイド軸１７と直交するトラバースシャーシ１５上の基準軸Ｙ−Ｙ’上に形成されており、調整ボス取り付け穴１５ａに位置決め調整ボス２０が取り付けられ、案内ピン取り付け穴１５ｄには後述する案内ピン２１が取り付けられる。調整ボス取り付け穴１５ａ、調整ビス穴１５ｂは、調整ボス取り付け穴１５ａを通り光ピックアップ１６のガイド軸１７と平行なトラバースシャーシ１５上の基準軸Ｘ−Ｘ’上の所定位置に形成されている。
モータ取り付け板１４には、調整ボス案内穴１４ａ、２個の調整穴１４ｂ，１４ｃ、案内ピン溝（穴）１４ｄが設けられている。調整ボス案内穴１４ａ、調整穴１４ｃ、案内ピン溝（穴）１４ｄは、基準軸Ｙ−Ｙ’上に形成されており、調整ボス案内穴１４ａ、調整穴１４ｂは、基準軸Ｘ−Ｘ’上の所定位置に形成されている。
【００２７】
図３は、第１実施例のディスク装置における位置決め調整ボスとモータ取り付け板、トラバースシャーシ間の関係を示す断面図である。
図３に示すように、モータ取り付け板１４において、位置決め調整ボス２０が挿通される調整ボス案内穴１４ａは、位置決め調整ボス２０の外周に沿って、モータ取り付け板１４のハーフパンチ部１４ｅ、つまりモータ取り付け板１４の板厚の半分程度を打ち抜いた部分によって形成され、高さ方向に摺動可能なように構成されており、その調整可能範囲は、スピンドルモータ１１を上昇する方向については、ハーフパンチ部１４ａの段差分であり、スピンドルモータ１１を下降する方向については、位置決め調整ボス２０と、モータ取り付け板１４のハーフパンチ部１４ａの最小掛かり代、例えば、０．３ｍｍを超えない範囲となる。
モータ取り付け板１４とトラバースシャーシ１５間の位置決め調整ボス２０の外周には、圧縮スプリング２５が挟み込まれており、前記調整範囲内で所定の与圧を発生するように、そのばね定数が適度に設定されている。圧縮スプリング２５により、モータ取り付け板１４がボス調整ビス２２、調整ビス２３，２４の頭部に押し付けられることで、姿勢の安定が図られている。
【００２８】
（第２実施例）
図５は、第２実施例のディスク装置における位置決め調整ボスとモータ取り付け板、トラバースシャーシ間の関係を示す断面図である。
第２実施例は、図３に示す第１実施例と比較すると、モータ取り付け板１４において、位置決め調整ボス２０が挿通され案内される調整ボス案内穴１４ａの部分が、深絞り加工により形成した深絞り部１４ｆとなっている点で異なる。
位置決め穴１４ａの部分を深絞り部１４ｆとすることで、簡単な加工で案内部の長さを十分に取ることができ、位置決め調整ボス２０を安定してガイドすることが可能となる。
【００２９】
（第３実施例）
図６は、第３実施例のディスク装置における位置決め調整ボスとモータ取り付け板、トラバースシャーシ間の関係を示す断面図である。
第３実施例は、図５に示す第２実施例と同様に、モータ取り付け板１４は深絞り加工により形成した深絞り部１４ｆを有するものであるが、位置決め調整ボス２０の先端にネジ部２０ａを設け、第２実施例のボス固定ビス２２の代わりに、ボス調整リング２６をネジ込むようにしている。
位置決め調整ボス２０の先端にネジ部２０ａを設け、ネジ部２０ａにボス調整リング２６をネジ込むので、構成が一層簡単となる。
【００３０】
（第４実施例）
図７は、第４実施例のディスク装置における位置決め調整ボスとモータ取り付け板、トラバースシャーシ間の関係を示す断面図で、図５に示すボス固定ビス２２の変形例を示す。
第４実施例で用いる変形例のボス調整ビス２７の最外周には、環状の凸部２７ａが形成されており、環状の凸部２７ａによって囲まれ、窪んだ内周部にネジ部２７ｂが設けられている。凸部２７ａの高さを大きくすることで、調整量を増やすことが可能となる。
【００３１】
図４は、第１〜第４実施例のディスク装置における調整ビスとモータ取り付け板、トラバースシャーシ間の関係を示す断面図である。
トラバースシャーシ１５には、モータ取り付け板１４の調整穴１４ｂ，１４ｃから挿入された調整ビス２３，２４が、トラバースシャーシ１５の調整ビス穴１４ｃ，１４ｄにねじ込まれた際、調整ビス２３，２４の先端がトラバースシャーシ１５天面より突出することがないように、ハーフパンチ部１５ｅが形成されており、その中央に絞りタップ部１５ｆが設けられている。
【００３２】
本発明によるモータ取り付け板の調整方法の例について説明する。
トラバースシャーシ１５を図示しない調整用基台に設置し、調整用の基準ディスクをスピンドルモータ１１に固定されたターンテーブル１２に載せる。ディスククランパ１３により、ディスク１０とターンテーブル１２を固定すると、ディスク１０はスピンドルモータ１１と一体となり、所定の回転数で回転する。
【００３３】
基準ディスク１０と光ピックアップ１６の案内基準であるガイド軸１７間の距離を設計センタ値にプリセットするため、トラバースシャーシ１５とモータ取り付け板１４間に図示しない所定厚さのスペーサを挟み、３本つまりボス固定ビス２２、調整ビス２３，２４をそれぞれ位置決め調整ボス２０，トラバースシャーシ１５の調整ビス穴１５ｂ，１５ｃにネジ込む。
ターンテーブル１２の平行度をオートコリメータ等で、さらにターンテーブル１２の高さをピックテスタ等で、それぞれモニタしながらプリセットしても良い。
【００３４】
次に、光ピックアップ１６を用いてディスク１のデータを読み出すが、半径４０ｍｍ近傍のデータを読み出すために、送り手段１９により光ピックアップ１６を所定位置まで移動させる。
スピンドルモータ１１は、ＤＶＤ、ＣＤ等のディスク１を再生する場合、ＣＬＶ（線速度一定）で回転するため、半径４０ｍｍ近傍のデータを読み出す時の線速度が所定の速度となるように、図示しないサーボ回路により精密に回転数制御される。
【００３５】
光ピックアップ１６により読み出されたＲＦ信号の品質を示すジッター値をモニタしながら、まず、図１に示すＴａ（＋）方向にディスクの回転面を倒すために、調整ビス２４をトラバースシャーシ１５の調整ビス穴１５ｃから抜き取る方向に回す。
もし、ジッター値が良好とならず、増加傾向を示すようであれば、逆にＴａ（−）方向にディスクの回転面を倒すために、調整ビス２４を上記調整ビス穴１５ｃにネジ込む。調整ビス２４を調整する順番は逆でも良い。
【００３６】
次に、図１に示すＲａ（＋）方向にディスクの回転面を倒すために、調整ビス２３をトラバースシャーシ１５の調整ビス穴１５ｂから抜き取る方向に回す。もし、ジッター値が良好とならず、増加傾向を示すようであれば、逆にＲａ（−）方向にディスク１の回転面を倒すために、調整ビス２３を上記調整ビス穴１５ｂ対し、ネジ込む方向に回す。調整ビス２３を調整する順番は逆でも良い。
【００３７】
次に、再度Ｔａ方向の微調整を行なう。
以上で、スピンドルモータ１１の回転軸と、光ピックアップ１６のガイド軸１７が形成する仮想平面との相対角度調整は終了する。
基準ディスク１０を回転させたまま、半径４０ｍｍ近傍のディスク裏面高さを非接触変位計等にて、さらに基準ディスク１０裏面の傾斜方向をオートコリメータ等にてそれぞれモニタしながら、２本の調整ビス２３，２４と、チルト調整では動かさなかったボス固定ビス２２、計３本のビスを調整して、傾斜方向を保持しながら、半径４０ｍｍ近傍のディスク裏面高さが設計センタ値となるように調整する。
【００３８】
以上の高さ調整は、光ピックアップ１６の対物レンズが、ディスク１０の信号面に常にフォーカスしていることを利用して、対物レンズの駆動電圧平均値を見ながら調整しても良い。
高さ調整中も、ディスク１０は回転したままなので、常時ジッター値はモニタできており、ジッター値が所定の範囲を外れないよう作業を行なっているため、調整後の確認作業は不要となる。
【００３９】
以上の作業において、半径２４ｍｍ近傍の最内周位置にて相対角度調整を行ない、高さ調整は、Ｒａ方向の必要チルト量から逆算して、最内周位置での高さが、４０ｍｍ近傍の高さの設計センタとなるように調整しても良い。
【００４０】
【発明の効果】
以上の説明から明らかなように、本発明によれば次のような効果を奏する。
ディスク装置において、スピンドルモータの回転軸と光ピックアップの案内手段が形成する仮想平面との位置関係を調整するに際し、従来例のように、ディスクを着脱したり、調整リングにて調整終了した後、別の取り付け固定ビスにて固定し、ディスクを再度取り付けて、ジッター値を確認するという工数の無駄が大幅に削減できる。
また、調整機構の構成がシンプルなので、部品点数が大幅に削減でき、製造コストを低減することができる。
さらに、調整機構の構成がシンプルなので、調整後のずれを極小に抑えることができるとともに、圧縮スプリングによりモータ取り付け板を保持しているため、従来例のように最終的に固定ビスを締め込むことによるモータ取り付け板もしくはトラバースシャーシの変形、相対角度ずれ等が発生しない。
【図面の簡単な説明】
【図１】本発明の第１実施例によるディスク装置の主要部を示す図で、図１（Ａ）は平面図、図１（Ｂ）は正面図、図１（Ｃ）は左側面図である。
【図２】図１に示すディスク装置の調整機構の詳細を分解して示す図で、図２（Ａ）は平面図、図２（Ｂ）は正面図、図２（Ｃ）は左側面図である。
【図３】第１実施例のディスク装置の位置決め用調整ボスとモータ取り付け板、トラバースシャーシ間の関係を示す断面図である。
【図４】調整用ビスとモータ取り付け板、トラバースシャーシ間の関係を示す断面図である。
【図５】第２実施例のディスク装置における位置決め用調整ボスとモータ取り付け板、トラバースシャーシ間の関係を示す断面図である。
【図６】第３実施例のディスク装置における位置決め用調整ボスとモータ取り付け板、トラバースシャーシ間の関係を示す断面図である。
【図７】第４実施例のディスク装置における位置決め用調整ボスとモータ取り付け板、トラバースシャーシ間の関係を示す断面図である。
【図８】従来例の光ディスク装置の要部を示す図で、図８（Ａ）は平面図、図８（Ｂ）は正面図、図８（Ｃ）は左側面図である。
【図９】図８に示すディスク装置の調整機構の詳細を分解して示す図で、図９（Ａ）は平面図、図９（Ｂ）は正面図、図９（Ｃ）は左側面図である。
【図１０】図９に示す調整機構における調整用ボルト、モータ取り付け板、トラバースシャーシ間の関係を示す断面図である。
【図１１】図９に示す調整機構における調整用ボルト、モータ取り付け板、トラバースシャーシ間の異なる関係を示す断面図である。
【符号の説明】
１０…ディスク、１１…スピンドルモータ、１２…ターンテーブル、１３…ディスククランパ、１４…モータ取り付け板、１４ａ…調整ボス案内穴、１４ｂ，１４ｃ…調整穴、１４ｄ…案内ピン溝、１４ｅ…ハーフパンチ部、１４ｆ…深絞り部、１５…トラバースシャーシ、１５ａ…調整ボス取り付け穴、１５ｂ，１５ｃ…調整ビス穴、１５ｄ…案内ピン取り付け穴、１５ｅ…ハーフパンチ部、１６…光ピックアップ、１７…ガイド軸、１８…ガイド軸固定ビス、１９…光ピックアップ送り手段、２０…位置決め調整ボス、２１…案内ピン、２２…ボス固定ビス、２３，２４…調整ビス、２５…圧縮スプリング、２６…ボス調整リング、２７…ボス調整ビス、１１０…ディスク、１１１…スピンドルモータ、１１２…ターンテーブル、１１３…ディスククランパ、１１４…モータ取り付け板、１１５…トラバースシャーシ、１１６…光ピックアップ、１１７…ガイド軸、１２１，１２２，１２３…調整用ボルト、１２１−１，１２２−１，１２３−１…調整リング、１２１−２，…固定用段付きビス、１２２−２，１２３−２…段付きビス、１２４…ガイドピン。
【図１】
2004087031.tif 000003
【図２】
2004087031.tif 000004
【図３】
2004087031.tif 000005
【図４】
2004087031.tif 000006
【図５】
2004087031.tif 000007
【図６】
2004087031.tif 000008
【図７】
2004087031.tif 000009
【図８】
2004087031.tif 000010
【図９】
2004087031.tif 000011
【図１０】
2004087031.tif 000012
【図１１】
2004087031.tif 000013